(57)【要約】【課題】機器の発熱量が抑制された電子機器を提供する。【解決手段】電子機器は、外部電源から電力の供給を受け付ける第１の被供給部と、電池から電力の供給を受け付ける第２の被供給部と、本体部と、外部電源から供給を受け付けた電力を入力とした電圧を本体部に対して出力している状態で、本体部が所定の動作を開始してから所定の時間が経過した場合には、外部電源及び電池の両方からの電力の供給の受け付けを開始し、両方からの電力を入力とした電圧の前記本体部に対する出力を開始する制御部と、を備える。【選択図】図２
2014209322.tif 000002
【特許請求の範囲】
【請求項１】
外部電源から電力の供給を受け付ける第１の被供給部と、
電池から電力の供給を受け付ける第２の被供給部と、
本体部と、
前記外部電源から供給を受け付けた電力を入力とした電圧を前記本体部に対して出力している状態で、前記本体部が所定の動作を開始してから所定の時間が経過した場合には、前記外部電源及び前記電池の両方からの電力の供給の受け付けを開始し、前記両方からの電力を入力とした電圧の前記本体部に対する出力を開始する制御部と、を備える、
電子機器。
【請求項２】
前記第１の被供給部は、ＵＳＢ（Ｕｎｉｖｅｒｓａｌ  Ｓｅｒｉａｌ  Ｂｕｓ）規格に準拠して、前記外部電源から電力の供給を受け付ける、
請求項１に記載の電子機器。
【請求項３】
前記所定の動作は、画像データを符号化して記憶媒体に記録する記録動作であり、
前記本体部は、前記記録動作を実行する画像処理部を含む、
請求項１に記載の電子機器。
【請求項４】
外部電源から電力の供給を受け付ける第１の被供給部と、
電池から電力の供給を受け付ける第２の被供給部と、
本体部と、
前記電池の電圧値が所定の電圧値以上である場合には、前記外部電源から供給を受け付けた電力を入力とした電圧を前記本体部に対して出力する一方、前記電池の電圧値が前記所定の電圧値未満である場合には、前記外部電源及び前記電池の両方からの電力の供給の受け付けを開始し、前記両方からの電力を入力とした電圧の前記本体部に対する出力を開始する制御部と、を備える、
電子機器。
【請求項５】
前記第１の被供給部は、ＵＳＢ（Ｕｎｉｖｅｒｓａｌ  Ｓｅｒｉａｌ  Ｂｕｓ）規格に準拠して、前記外部電源から電力の供給を受け付ける、
請求項４に記載の電子機器。
【請求項６】
前記所定の動作は、画像データを符号化して記憶媒体に記録する記録動作であり、
前記本体部は、前記記録動作を実行する画像処理部を含む、
請求項１に記載の電子機器。
【請求項７】
外部電源から電力の供給を受け付ける第１の被供給部と、電池から電力の供給を受け付ける第２の被供給部と、本体部と、を備える電子機器の制御方法であって、
前記外部電源から供給を受け付けた電力を入力とした電圧を前記本体部に対して出力するよう前記電子機器を制御し、
前記本体部が所定の動作を開始してから所定の時間が経過した場合には、前記外部電源及び前記電池の両方からの電力の供給の受け付けを開始するよう前記電子機器を制御し、
前記両方からの電力を入力とした電圧の前記本体部に対する出力を開始するよう前記電子機器を制御する、
電子機器の制御方法。
【発明の詳細な説明】
【技術分野】
【０００１】
本開示は、電子機器、及び電子機器の制御方法に関する。
【背景技術】
【０００２】
電力の供給元を外部電源と内蔵電池との間で切り替えて動作できる電子機器が知られている。また、このような電子機器において、外部電源と内蔵電池とが共に接続されている場合、外部電源から優先的に電力の供給を受け付けることで動作する構成が知られている（例えば、特許文献１参照）。
【先行技術文献】
【特許文献】
【０００３】
【特許文献１】特開２００７−２２１４７０号公報
【発明の概要】
【発明が解決しようとする課題】
【０００４】
上記従来の電子機器においては、外部電源が接続されている場合に、外部電源が接続されていない場合よりも多く発熱するという課題があった。
【０００５】
例えば、電子機器に外部電源が接続されている場合、外部電源の電源電圧は、電子機器に必要な電源電圧に変換されることがある。具体的には、電子機器内に含まれる電源電圧の変換部が外部電源の電源電圧を電子機器に必要な電源電圧に変換することがある。このとき、変換部による電源電圧の変換効率に従って損失が発生する。ここで発生した損失が熱に変わる。この熱は、電子機器が内蔵電池から供給を受け付けた電力で動作している場合には発生しない。内蔵電池から供給される電源電圧は、電子機器に必要な電源電圧と同一となるように設計されている場合が多いからである。したがって、電子機器の動作状況が同じであっても電力の供給源が外部電源であるか内蔵電池であるかによって発熱量に違いが生じる。その結果、従来の電子機器は、外部電源から供給を受け付けた電力により動作している場合の方が、内蔵電池から供給を受け付けた電力により動作している場合と比較して、高温となる可能性が高かった。
【０００６】
本開示は、機器の発熱量が抑制された電子機器、及び機器の発熱量を抑制するための電子機器の制御方法を提供する。
【課題を解決するための手段】
【０００７】
上記課題を解決するために、本開示の第１の電子機器は、外部電源から電力の供給を受け付ける第１の被供給部と、電池から電力の供給を受け付ける第２の被供給部と、本体部と、外部電源から供給を受け付けた電力を入力とした電圧を本体部に対して出力している状態で、本体部が所定の動作を開始してから所定の時間が経過した場合には、外部電源及び電池の両方からの電力の供給の受け付けを開始し、両方からの電力を入力とした電圧の本体部に対する出力を開始する制御部と、を備える。
【０００８】
また、本開示の第２の電子機器は、外部電源から電力の供給を受け付ける第１の被供給部と、電池から電力の供給を受け付ける第２の被供給部と、本体部と、電池の電圧値が所定の電圧値以上である場合には、外部電源から供給を受け付けた電力を入力とした電圧を本体部に対して出力する一方、電池の電圧値が所定の電圧値未満である場合には、外部電源及び電池の両方からの電力の供給の受け付けを開始し、両方からの電力を入力とした電圧の本体部に対する出力を開始する制御部と、を備える。
【０００９】
また、本開示の電子機器の制御方法は、外部電源から電力の供給を受け付ける第１の被供給部と、電池から電力の供給を受け付ける第２の被供給部と、本体部と、を備える電子機器の制御方法であって、外部電源から供給を受け付けた電力を入力とした電圧を本体部に対して出力するよう電子機器を制御し、本体部が所定の動作を開始してから所定の時間が経過した場合には、外部電源及び電池の両方からの電力の供給の受け付けを開始するよう電子機器を制御し、両方からの電力を入力とした電圧の本体部に対する出力を開始するよう電子機器を制御する。
【発明の効果】
【００１０】
本開示によれば、機器の発熱量が抑制された電子機器、及び機器の発熱量を抑制するための電子機器の制御方法を提供できる。
【図面の簡単な説明】
【００１１】
【図１】図１は、電子機器の構成を示すブロック図である。
【図２】図２は、電子機器の動作を示すフローチャートである。
【図３Ａ】図３Ａは、電圧Ｖｂが所定値ｖｔｈ以上である場合の、所定動作の開始からの経過時間に応じた電流Ｉａ及び電流Ｉｂの変化を示す図である。
【図３Ｂ】図３Ｂは、電圧Ｖｂが所定値ｖｔｈ以上である場合の、所定動作の開始からの経過時間に応じた電圧Ｖａ、電圧Ｖｉｎ、及び電圧Ｖｂの変化を示す図である。
【図３Ｃ】図３Ｃは、電圧Ｖｂが所定値ｖｔｈ以上である場合の、所定動作の開始からの経過時間に応じた、電圧の変換効率の変化を示す図である。
【図３Ｄ】図３Ｄは、電圧Ｖｂが所定値ｖｔｈ以上である場合の、所定動作の開始からの経過時間に応じた、電源供給部１１０の単位時間あたりの発熱量の変化を示す図である。
【図３Ｅ】図３Ｅは、電圧Ｖｂが所定値ｖｔｈ以上である場合の、所定動作の開始からの経過時間に応じた、電源供給部１１０の累積発熱量の変化を示す図である。
【図４Ａ】図４Ａは、電圧Ｖｂが所定値ｖｔｈ未満である場合の、所定動作の開始からの経過時間に応じた電流Ｉａ及び電流Ｉｂの変化を示す図である。
【図４Ｂ】図４Ｂは、電圧Ｖｂが所定値ｖｔｈ未満である場合の、所定動作の開始からの経過時間に応じた電圧Ｖａ、電圧Ｖｉｎ、及び電圧Ｖｂの変化を示す図である。
【図４Ｃ】図４Ｃは、電圧Ｖｂが所定値ｖｔｈ未満である場合の、所定動作の開始からの経過時間に応じた、電圧の変換効率の変化を示す図である。
【図４Ｄ】図４Ｄは、電圧Ｖｂが所定値ｖｔｈ未満である場合の、所定動作の開始からの経過時間に応じた、電源供給部１１０の単位時間あたりの発熱量の変化を示す図である。
【図４Ｅ】図４Ｅは、電圧Ｖｂが所定値ｖｔｈ未満である場合の、所定動作の開始からの経過時間に応じた、電源供給部１１０の累積発熱量の変化を示す図である。
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者（ら）は、当業者が本開示を十分に理解するために添付図面および以下の説明を提供するのであって、これらによって特許請求の範囲に記載の主題を限定することを意図するものではない。
【００１４】
〔実施の形態１〕
以下、実施の形態１に係る電子機器について図面を用いて説明する。本実施の形態に係る電子機器は、外部電源と内蔵電池との何れの電源からも電力の供給を受け付けられる。本実施の形態に係る電子機器は、外部電源から供給を受け付けた電力に基づいて動作している状態で、所定の動作を開始してから所定の時間が経過した場合には、外部電源と内蔵電池との両方からの電力の供給の受け付けを開始する。これにより、電子機器内に含まれる電源電圧の変換部が外部電源の電源電圧を電子機器に必要な電源電圧に変換する際に発生する熱の量が減少する。
【００１５】
また、本実施の形態に係る電子機器は、内蔵電池の電圧値が所定の電圧値以上である場合には、外部電源から供給を受け付けた電力により動作する一方、内蔵電池の電圧値が所定の電圧値未満である場合には、外部電源及び内蔵電池の両方からの電力の供給の受け付けを開始する。これにより、電子機器内に含まれる電源電圧の変換部が外部電源の電源電圧を電子機器に必要な電源電圧に変換する際に発生する熱の量が減少する。
【００１６】
以下、本実施の形態に係る電子機器の構成及び動作について説明する。
【００１７】
〔１．構成〕
以下、図１を用いて電子機器の構成について説明する。図１は、電子機器１００の構成を示すブロック図である。電子機器１００は、電源入力部１０１と、電源入力制限部１０２と、充電制御部１０３と、電池接続部１０４と、電池１０４ｂと、情報処理部１０５と、電源制御部１０６とを備える。電子機器１００は、例えば、デジタルスチルカメラやデジタルビデオカメラである。
【００１８】
電源入力部１０１は、外部電源から電力の供給を受け付ける端子である。電源入力部１０１は、専用のＤＣジャックや、汎用のＤＣジャックや、ＵＳＢ（Ｕｎｉｖｅｒｓａｌ  Ｓｅｒｉａｌ  Ｂｕｓ）接続用の端子等で構成される。要するに、電源入力部１０１は、外部電源から電力の供給を受け付けられる構成であればよい。なお、電源入力部１０１がＵＳＢ接続用の端子である場合には、電源入力制限部１０２は、ＵＳＢ規格に準拠した信号をやり取りすることで、電源入力部１０１を介して供給を受け付ける電流の量を調節できる。
【００１９】
電源入力制限部１０２は、電源入力部１０１から供給を受け付けた電力を充電制御部１０３へ供給する。具体的には、電源入力制限部１０２は、電源入力部１０１からの電力を入力とした電圧Ｖａを充電制御部１０３に対して出力する。また、電源入力制限部１０２は、電源入力部１０１からの電力を入力とした電流Ｉａを充電制御部１０３に対して出力する。また、電源入力制限部１０２は、電流Ｉａの大きさを制御できる。なお、電源入力制限部１０２が充電制御部１０３へ出力するする電圧Ｖａは、基本的に一定であるものとする。
【００２０】
充電制御部１０３は、電池１０４ｂに対する充電動作の制御を行う。すなわち、充電制御部１０３は、電池接続部１０４に接続された電池１０４ｂに対して電源入力部１０１から供給された電力を供給することで、電池１０４ｂを充電する。
【００２１】
また、充電制御部１０３は、所定の電圧Ｖｉｎを電源制御部１０６に対して出力することで、負荷部１１１へ電力を供給する。このときの電圧Ｖｉｎは、電池の電圧Ｖｂに対して常にΔＶだけ高くなるように充電制御部１０３により制御される。このように制御する理由について次に説明する。
【００２２】
充電制御部１０３は、上述したように電池１０４ｂに対して充電する機能と、電源制御部１０６に対して電力を供給する機能との２つの機能を少なくとも有している。また、充電制御部１０３は、１つのＩＣ（Ｉｎｔｅｇｒａｔｅｄ  Ｃｉｒｃｕｉｔ）の中に含まれている。電池１０４ｂに対して充電する際、充電制御部１０３が電池１０４ｂに対して出力する電圧は、電池１０４ｂの電圧Ｖｂの大きさに従って決まる。具体的には、充電制御部１０３は、電池１０４ｂの電圧Ｖｂに対して常にΔＶだけ高い電圧を電池接続部１０４に対して出力する。これは、電池１０４ｂの電圧の大きさと、充電制御部１０３が電池接続部１０４に対して出力する電圧の大きさとの差が大きくなると、充電動作時に、電池１０４ｂにおいて発生する熱が大きくなってしまうからである。そこで、充電制御部１０３は、充電動作時に、電池１０４ｂの電圧Ｖｂに対して常にΔＶだけ高い電圧を電池接続部１０４に対して出力することとしている。このように、充電動作時の都合により、充電制御部１０３は、電池１０４ｂの電圧の大きさに従って出力する電圧値を変更する仕様となっている。その結果、充電制御部１０３は、電源制御部１０６に対して電圧を出力する場合も、電池１０４ｂの電圧の大きさに従って、出力する電圧の大きさを決めることとなっている。なお、電流Ｉｉｎは、充電制御部１０３から電源制御部１０６に供給される電流である。また、電流Ｉｂは、電池１０４ｂから供給される電流である。
【００２３】
また、充電制御部１０３は、電源制御部１０６に対して供給する電力の供給元を外部電源と電池１０４ｂとの間で切り替える制御を行える。
【００２４】
また、充電制御部１０３は、電源制御部１０６が必要とする電力（電流Ｉｉｎ×電圧Ｖｉｎ）が電源入力制限部１０２から供給を受け付けた電力（電流Ｉａ×電圧Ｖａ）よりも大きい場合、不足分を補うために、電池１０４ｂから電流Ｉｂを電源制御部１０６に対して供給するように制御できる。例えば、電子機器１００の充電時に、電子機器１００を起動し、画像を記録する処理等を実行した場合にこのような状況が生じる場合がある。電圧Ｖｂは、このような状況において、電池１０４ｂが電池接続部１０４を介して充電制御部１０３に出力する電圧である。
【００２５】
このように、充電制御部１０３は、電源入力制限部１０２から供給を受け付けた電力を電池１０４ｂに充電する制御と、電源入力制限部１０２から供給を受け付けた電力を、電池１０４ｂから供給を受け付けた電力とあわせて電源制御部１０６に供給する制御とを少なくとも実行できる。充電制御部１０３は、例えば、充電制御ＩＣである。なお、充電制御部１０３は、電源入力制限部１０２と共に、電源制御部１０６に対する電源の供給を制御する電源供給部１１０を構成する。電源供給部１１０全体が１つの充電制御ＩＣとして構成されてもよい。
【００２６】
情報処理部１０５は、例えば、ＣＰＵなどを含む構成である。情報処理部１０５は、ＣＰＵが所定のプログラムを実行することにより、電子機器の主要な機能を実現するための各種処理を行う。なお、情報処理部１０５は、ハードウェア回路のみでその機能を実現するよう構成されてもよい。情報処理部１０５は、電池接続部１０４に接続された電池１０４ｂの電圧Ｖｂを監視できる。また、情報処理部１０５は、処理内容、及び処理状態に応じて、電源入力制限部１０２から充電制御部１０３に対して出力する電流Ｉａを調整するよう電源入力制限部１０２を制御する機能を有する。また、情報処理部１０５は、所定の動作を開始してから経過した時間を計測する機能を有する。
【００２７】
電源制御部１０６は、例えば、電源制御ＩＣである。電源制御部１０６は、充電制御部１０３から出力された電圧を情報処理部１０５等の各部材へ分配する。具体的には、電源制御部１０６は、充電制御部１０３から出力された電圧の大きさを、各部材が必要な電圧の大きさに変換し、各部材に対して必要な大きさの電圧を出力する。電源制御部１０６と情報処理部１０５とは、負荷部１１１を構成する。負荷部１１１は、電子機器１００の本体部ということができる。
【００２８】
電源入力部１０１は、第１の被供給部の一例である。電池接続部１０４は、第２の被供給部の一例である。負荷部１１１は、本体部の一例である。情報処理部１０５と充電制御部１０３とからなる構成は、制御部の一例である。
【００２９】
〔２．動作〕
次に、電子機器１００の動作について図２を用いて説明する。図２は、外部電源が接続されている状態で、電子機器１００が所定の動作を行っている場合の制御の流れを示すフローチャートである。所定の動作としては、電子機器１００がデジタルカメラである場合には、動画記録動作等が考えられる。以下では、所定の動作が動画記録動作である例について説明する。ここで、動画記録動作は、画像データを符号化して記憶媒体に記録する動作である。
【００３０】
電源入力部１０１に外部電源が接続されている状態で、電子機器１００が所定の動作を開始すると、情報処理部１０５は、電源入力部１０１に外部電源が接続されているか否かを判断する（Ｓ２０１）。情報処理部１０５が外部電源の接続が解除されたことを検出した場合（Ｓ２０１において「ＮＯ」）、充電制御部１０３は、電池１０４ｂから供給を受け付けた電力により負荷部１１１を動作させる電池駆動に切り替える（Ｓ２０２）。そして、本処理は終了する。なお、ステップＳ２０２の後、電池駆動で動画記録を継続するようにしてもよいし、動画記録を終了してもよい。
【００３１】
一方、外部電源の接続が継続している場合（Ｓ２０１において「ＹＥＳ」）、情報処理部１０５は、外部電源から供給を受け付けた電力を、充電制御部１０３を介して、負荷部１１１に供給するように電源入力制限部１０２を制御する（Ｓ２０３）。このとき、充電制御部１０３は、電池接続部１０４に接続された電池１０４ｂに対する充電を並行して実行してもよいし、実行しなくてもよい。
【００３２】
負荷部１１１に電力を供給するように電源入力制限部１０２を制御すると、情報処理部１０５は、動画記録動作を停止するか否かを判断する（Ｓ２０４）。例えば、使用者から動画記録の停止指示を受け付けた場合や、記録媒体の容量がなくなってしまった場合に、情報処理部１０５は、動画記録動作を停止すると判断する。
【００３３】
情報処理部１０５が動画記録動作を停止すると判断すると（Ｓ２０４において「ＹＥＳ」）、本処理は終了する。一方、動画記録動作を停止しないと判断すると（Ｓ２０４において「ＮＯ」）、情報処理部１０５は、電池１０４ｂの電圧Ｖｂの情報を取得し、電圧Ｖｂが所定の電圧ｖｔｈ未満であるか否かを判断する（Ｓ２０５）。所定の電圧ｖｔｈは、予め設定されている。電圧ｖｔｈに関する情報は、負荷部１１１に含まれる不図示のメモリに記憶されている。
【００３４】
電圧Ｖｂが所定の電圧ｖｔｈ未満であると判断すると（Ｓ２０５において「ＹＥＳ」）、情報処理部１０５は、電源入力制限部１０２から充電制御部１０３に対して入力される電流Ｉａの大きさを変更するよう電源入力制限部１０２を制御する（Ｓ２０７）。具体的には、情報処理部１０５は、電流Ｉａをｉａ１からｉａ２（但し、ｉａ１＞ｉａ２）に変更するよう電源入力制限部１０２を制御する。充電制御部１０３は、電源入力制限部１０２から供給を受け付けた電流Ｉａの変化によって、電源制御部１０６へ供給する電力に不足が発生した場合、不足分を補うために電池１０４ｂからも電力供給の受け付けを開始する。つまり、充電制御部１０３は、電池１０４ｂの電圧値が所定の電圧値未満である場合には、外部電源及び電池１０４ｂの両方からの電力の供給の受け付けを開始し、両方からの電力を入力とした電圧の負荷部１１１に対する出力を開始する。ここで、所定の電圧ｖｔｈは、複数設定されていてもよい。このような場合には、電池１０４ｂの電圧Ｖｂの大きさが各電圧値未満になる毎に、電流Ｉａを順次下げていくような設定を設けるようにしてもよい。ステップＳ２０７の処理を行った後は、情報処理部１０５は、ステップＳ２０１の処理へ戻り、上記の処理を繰り返し実行する。
【００３５】
ステップＳ２０５において、電圧Ｖｂがあらかじめ設定されている基準の電圧ｖｔｈ以上である場合（Ｓ２０５において「ＮＯ」）、情報処理部１０５は、動画記録を開始してから所定の時間ｔ１を経過したか否かを判断する（Ｓ２０６）。
【００３６】
所定の時間ｔ１を経過したと判断すると（Ｓ２０６において「ＹＥＳ」）、情報処理部１０５は、電流Ｉａの大きさを変更するよう電源入力制限部１０２を制御する（Ｓ２０７）。ステップＳ２０７における処理は、ステップＳ２０５において、電池１０４ｂの電圧の大きさが所定の電圧ｖｔｈ未満であると判断した場合の処理と同様である。つまり、充電制御部１０３は、外部電源から供給を受け付けた電力を入力とした電圧を負荷部１１１に対して出力している状態で、負荷部１１１が所定の動作を開始してから所定の時間が経過した場合には、外部電源及び電池１０４ｂの両方からの電力の供給の受け付けを開始し、両方からの電力を入力とした電圧の負荷部１１１に対する出力を開始する。ここで、所定の時間ｔ１は複数設定されていてもよい。このような場合には、各時間が経過する毎に電流Ｉａを順次下げていくような設定を設けるようにしてもよい。ステップＳ２０７の処理を行った後は、情報処理部１０５は、ステップＳ２０１へ戻り、上記の処理を繰り返し実行する。
【００３７】
一方、ステップＳ２０５において、電圧Ｖｂが所定の電圧ｖｔｈ未満ではないと判断し（ステップＳ２０５において「ＮＯ」）、かつ、ステップＳ２０６において、動画記録の開始から所定の時間ｔ１が経過していないと判断した場合（ステップＳ２０６において「Ｎｏ」）、情報処理部１０５は、ステップＳ２０１へ戻り、上記の処理を繰り返し実行する。つまり、充電制御部１０３は、電池１０４ｂの電圧値が所定の電圧値以上であり、動画記録の開始から所定の時間が経過していない場合には、外部電源から供給を受け付けた電力を入力とした電圧を負荷部１１１に対して出力する。
【００３８】
なお、本開示の技術は、必ずしもステップＳ２０５とステップＳ２０６との両方のステップを必要としない。ステップＳ２０５とステップＳ２０６との何れか一方のステップを含むような構成としてもよい。例えば、ステップＳ２０５のみを含むような場合には、電池１０４ｂの電圧Ｖｂが所定の電圧ｖｔｈ未満である場合には、ステップＳ２０７の処理を実行する一方、電池１０４ｂの電圧Ｖｂが所定の電圧ｖｔｈ以上である場合には、ステップＳ２０１に戻り処理を実行するような構成としてもよい。また、ステップＳ２０６のみを含むような場合には、ステップＳ２０５の処理を実行せず、負荷部１１１が所定の動作を開始してから所定の時間ｔ１が経過している場合には、ステップＳ２０７の処理を実行する一方、負荷部１１１が所定の動作を開始してから所定の時間を経過していない場合には、ステップＳ２０１に戻り処理を実行するような構成としてもよい。
【００３９】
〔３．動作の具体例〕
〔３−１．具体例１〕
以下、動画記録を開始した際に、電圧Ｖｂが所定の電圧ｖｔｈ以上である場合の動作の具体例を図３Ａ〜図３Ｅを用いて説明する。図３Ａ〜図３Ｅは、電圧Ｖｂが所定値ｖｔｈ以上である場合の、所定動作の開始からの経過時間に応じた各値の変化を示す図である。
【００４０】
図３Ａは、電圧Ｖｂが所定値ｖｔｈ以上である場合の、所定動作の開始からの経過時間に応じた電流Ｉａ及び電流Ｉｂの変化を示す図である。より具体的には、図３Ａは、電源入力制限部１０２により出力される電流Ｉａ、及び電池１０４ｂから出力される電流Ｉｂが、動画記録の開始から経過した時間に応じてどのように変化するかを示す。時刻ｔ１までは、電源入力制限部１０２からの電流Ｉａは、ｉａ１であり変更されない。したがって、Ｉａは一定である。時刻ｔ１以降は、電源入力制限部１０２からの電流Ｉａは、ｉａ２に変更される。電流Ｉａがｉａ２に変更されるのに応じて、不足分の電流が電池１０４ｂから供給される。したがって、電流Ｉｂが０から増加してｉｂとなる。
【００４１】
図３Ｂは、電圧Ｖｂが所定値ｖｔｈ以上である場合の、所定動作の開始からの経過時間に応じた電圧Ｖａ、電圧Ｖｉｎ、及び電圧Ｖｂの変化を示す図である。より具体的には、図３Ｂは、電源入力制限部１０２により出力される電圧Ｖａ、電池１０４ｂにより出力される電圧Ｖｂ、及び充電制御部１０３により出力される電圧Ｖｉｎが、動画記録の開始から経過した時間に応じてどうのように変化するかを示す。時刻ｔ１以降に電池１０４ｂからの放電が開始されると、時間の経過と共に電圧Ｖｂが低下する。充電制御部１０３は、電圧Ｖｂが低下するのに応じて、電圧Ｖｉｎを制御する。本実施の形態においては、充電制御部１０３は、電圧Ｖｉｎを電圧Ｖｂに対して一定値であるΔＶだけ高い電圧となるように制御する。このため、電圧Ｖｉｎは、電圧Ｖｂと共に徐々に低下する。
【００４２】
図３Ｃは、電圧Ｖｂが所定値ｖｔｈ以上である場合の、所定動作の開始からの経過時間に応じた、電圧の変換効率の変化を示す図である。より具体的には、図３Ｃは、充電制御部１０３における電圧の変換効率が、動画記録の開始からの経過時間に応じてどのように変化するかを示す。動画記録の開始直後は電圧Ｖａと電圧Ｖｉｎとの差は変化しない。したがって、変換効率はｅ１で一定である。時刻ｔ１以降、電圧Ｖｂが下がるのに従って、電圧Ｖｉｎも低下する。すると、電圧Ｖａと電圧Ｖｉｎとの差が大きくなる。その結果、充電制御部１０３における電圧の変換効率は低下する。電源入力制限部１０２から供給を受け付けた電力（電流Ｉａ×電圧Ｖａ）は、充電制御部１０３における変換効率が１未満であることにより部分的に失われる。その結果、充電制御部１０３において発熱する。
【００４３】
図３Ｄは、電圧Ｖｂが所定値ｖｔｈ以上である場合の、所定動作の開始からの経過時間に応じた、充電制御部１０３の単位時間あたりの発熱量の変化を示す図である。より具体的には、図３Ｄは、充電制御部１０３における発熱量が、動画記録の開始からの経過時間に応じてどのように変化するかを示す。時刻ｔ１までは、電圧Ｖｂは低下しない。したがって、変換効率は、ｅ１で一定である。その結果、充電制御部１０３における単位時間当たりの発熱量は一定で推移する。また、時刻ｔ１において、電流Ｉａが低下することにより、充電制御部１０３における単位時間当たりの発熱量は低下する。その後、充電制御部１０３における電圧の変換効率が徐々に低下することにより、単位時間当たりの発熱量は、時刻ｔ１時点よりも緩やかに上昇する。
【００４４】
図３Ｅは、電圧Ｖｂが所定値ｖｔｈ以上である場合の、所定動作の開始からの経過時間に応じた、充電制御部１０３の累積発熱量の変化を示す図である。より具体的には、図３Ｅは、充電制御部１０３における累積の発熱量が、動画記録の開始からの経過時間に応じてどのように変化するかを示す。時刻ｔ１までは、時間経過に応じて、充電制御部１０３における累積の発熱量は一定の傾きで上昇する。時刻ｔ１以降は、充電制御部１０３における発熱量が低下するため、充電制御部１０３における累積の発熱量は、時刻ｔ１以前よりも緩やかな傾きで上昇する。
【００４５】
〔３−２．具体例２〕
次に、動画記録を開始した際に、電圧Ｖｂが所定の電圧ｖｔｈ未満である場合の動作の具体例について図４Ａ〜図４Ｅを用いて説明する。図４Ａ〜図４Ｅは、電圧Ｖｂが所定値ｖｔｈ未満である場合の、所定動作の開始からの経過時間に応じた各値の変化を示す図である。
【００４６】
図４Ａは、電圧Ｖｂが所定値ｖｔｈ未満である場合の、所定動作の開始からの経過時間に応じた電流Ｉａ及び電流Ｉｂの変化を示す図である。図４Ａに示す通り、電圧Ｖｂが所定の電圧ｖｔｈ未満である場合、情報処理部１０５は、動画記録の開始直後に電流Ｉａをｉａ１からｉａ２に減らすように電源入力制限部１０２を制御する。このため、電源入力制限部１０２から供給される電流Ｉａの大きさはｉａ２となる。また、不足分の電力が電池１０４ｂから供給されるため、電流Ｉｂの大きさはｉｂになる。
【００４７】
図４Ｂは、電圧Ｖｂが所定値ｖｔｈ未満である場合の、所定動作の開始からの経過時間に応じた電圧Ｖａ、電圧Ｖｉｎ、及び電圧Ｖｂの変化を示す図である。電圧Ｖｂが所定の電圧ｖｔｈ未満である場合、動画記録の開始直後から電池１０４ｂの放電が開始される。したがって、図４Ｂに示すように、時間の経過に応じて電圧Ｖｂが低下する。充電制御部１０３は、電圧Ｖｂが低下するのに応じて電圧Ｖｉｎの大きさを制御する。本実施の形態においては、充電制御部１０３は、電圧Ｖｉｎを電圧Ｖｂに対して一定値ΔＶだけ高い電圧となるように制御する。このため、電圧Ｖｉｎは、電圧Ｖｂと共に徐々に低下する。
【００４８】
図４Ｃは、電圧Ｖｂが所定値ｖｔｈ未満である場合の、所定動作の開始からの経過時間に応じた、電圧の変換効率の変化を示す図である。電圧Ｖｂが所定の電圧ｖｔｈ未満である場合、動画記録の開始直後から、Ｖｉｎの大きさが、電圧Ｖｂが所定の電圧ｖｔｈ以上である場合よりも小さくなる。つまり、変換効率も図３Ｃに示す場合のｅ１よりも低いｅ２となる。また、動画記録の開始直後からＶｉｎの大きさが低下するので、変換効率もｅ２から徐々に低下する。
【００４９】
図４Ｄは、電圧Ｖｂが所定値ｖｔｈ未満である場合の、所定動作の開始からの経過時間に応じた、充電制御部１０３の単位時間あたりの発熱量の変化を示す図である。所定動作の開始直後から電流Ｉａの大きさを、ｉａ１よりも小さいｉａ２となるように制御している。したがって、時間当たりの発熱量は、図４Ｄに示すように、電流Ｉａを減らさなかったときと比較すると小さくなっている。
【００５０】
図４Ｅは、電圧Ｖｂが所定値ｖｔｈ未満である場合の、所定動作の開始からの経過時間に応じた、充電制御部１０３の累積発熱量の変化を示す図である。図４Ｅに示すとおり、電流Ｉａをｉａ１としておく場合よりも、累積発熱量の上昇は緩やかになる。
【００５１】
〔４．効果等〕
以上のように、本実施の形態に係る電子機器１００は、電源入力部１０１と、電池接続部１０４と、負荷部１１１と、情報処理部１０５と充電制御部１０３とからなる構成と、を備える。電源入力部１０１は、外部電源から電力の供給を受け付ける。電池接続部１０４は、電池１０４ｂから電力の供給を受け付ける。情報処理部１０５と充電制御部１０３とからなる構成は、外部電源から供給を受け付けた電力を入力とした電圧を負荷部１１１に対して出力している状態で、負荷部１１１が所定の動作を開始してから所定の時間が経過した場合には、外部電源及び電池１０４ｂの両方からの電力の供給の受け付けを開始し、両方からの電力を入力とした電圧の負荷部１１１に対する出力を開始する。
【００５２】
これにより、電子機器１００は、機器の発熱量を抑制できる。
【００５３】
また、本実施の形態に係る電子機器１００は、電源入力部１０１と、電池接続部１０４と、負荷部１１１と、情報処理部１０５と充電制御部１０３とからなる構成と、を備える。電源入力部１０１は、外部電源から電力の供給を受け付ける。電池接続部１０４は、電池１０４ｂから電力の供給を受け付ける。情報処理部１０５と充電制御部１０３とからなる構成は、電池１０４ｂの電圧値が所定の電圧値以上である場合には、外部電源から供給を受け付けた電力を入力とした電圧を負荷部１１１に対して出力する一方、電池１０４ｂの電圧値が所定の電圧値未満である場合には、外部電源及び電池１０４ｂの両方からの電力の供給の受け付けを開始し、両方からの電力を入力とした電圧の負荷部１１１に対する出力を開始する。
【００５４】
これにより、電子機器１００は、機器の発熱量を抑制できる。
【００５５】
〔５．他の実施の形態〕
以上のように、本出願において開示する技術の例示として、実施の形態１を説明した。しかしながら、本開示における技術は、これに限定されず、適宜、変更、置き換え、付加、省略などを行った実施の形態にも適用可能である。そこで、以下、他の実施の形態を例示する。
【００５６】
上記実施の形態において、所定の動作を開始してから所定の時間を経過した場合や、電圧Ｖｂが所定の電圧ｖｔｈ未満である場合に、電流Ｉａを所定量だけ下げることとした。すなわち、上記実施の形態においては、電流Ｉａを段階的に下げるような例を説明した。しかしながら、必ずしもこのような例に限定されない。例えば、所定の条件を満たした後に、徐々に電流Ｉａを下げていくような構成としてもよい。
【００５７】
上記実施の形態において、電源入力制限部１０２及び充電制御部１０３は、各々上記のような機能及び構成を有するものとして説明したが、必ずしもこのような構成に限定されない。例えば、一方の制御部の持つ機能及び構成の一部が他方の制御部に含まれるような構成としてもよい。
【００５８】
上記実施の形態において、充電制御部１０３および情報処理部１０５は、各々上記のような機能及び構成を有するものとして説明したが、必ずしもこのような構成に限定されない。例えば、一方の制御部の持つ機能及び構成の一部が、他方の制御部に含まれるような構成としてもよい。
【００５９】
上記実施の形態において説明した電源制御の思想は、種々の電子機器に適用できる。例えば、デジタルカメラ、ムービーカメラ、スマートフォンのような画像を撮像する機能を有する撮像装置に適用できる。
【００６０】
以上のように、本開示における技術の例示として、実施の形態を説明した。そのために、添付図面および詳細な説明を提供した。
【００６１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６２】
また、上記実施の形態は、本開示における技術を例示するためのものであるから、特許請求の範囲またはその均等の範囲において種々の変更、置き換え、付加、省略などを行うことができる。
【産業上の利用可能性】
【００６３】
本開示の電子機器は、機器の発熱量を抑制できる。このため、本開示の技術は、外部電源及び内蔵電池から電力の供給を受け付けられるデジタルスチルカメラ、ムービーカメラ、携帯電話等の電子機器に対して適用可能である。
【符号の説明】
【００６４】
１００    電子機器
１０１    電源入力部
１０２    電源入力制限部
１０３    充電制御部
１０４    電池接続部
１０４ｂ    電池
１０５    情報処理部
１０６    電源制御部
１１０    電源供給部
１１１    負荷部
【図１】
2014209322.tif 000003
【図２】
2014209322.tif 000004
【図３Ａ】
2014209322.tif 000005
【図３Ｂ】
2014209322.tif 000006
【図３Ｃ】
2014209322.tif 000007
【図３Ｄ】
2014209322.tif 000008
【図３Ｅ】
2014209322.tif 000009
【図４Ａ】
2014209322.tif 000010
【図４Ｂ】
2014209322.tif 000011
【図４Ｃ】
2014209322.tif 000012
【図４Ｄ】
2014209322.tif 000013
【図４Ｅ】
2014209322.tif 000014